(57)【要約】【課題】ベルトで紙幣を搬送する構成において小型化を図ることができる紙幣搬送装置、当該ベルトのテンション調整機構およびテンション調整方法ならびに紙幣搬送装置の設置方法を提供すること。【解決手段】紙幣搬送装置７では、遊技島Ａにおいて複数の遊技台１の並び方向（所定方向Ｘ）における両端の１対の支持ローラ２１間に１本の無端状の平ベルト２２が掛け回されている。紙幣搬送装置７では、モータ３３が平ベルト２２を周回移動させることによって、平ベルト２２とガイドローラ２７との間で挟持された紙幣Ｓが平ベルト２２に沿って搬送される。紙幣搬送装置７では、丸ベルト等に比べて小プーリ径で駆動を伝達し易い平ベルト２２を用いることによって、小径の支持ローラ２１を用いることができる。これにより、紙幣搬送装置７全体の小型化を図ることができる。【選択図】図１
2012152373.tif 000002
【特許請求の範囲】
【請求項１】
複数の遊技台を所定方向に並べて配置することで構成された遊技島に設置され、遊技台で遊技するために入金された紙幣を搬送する紙幣搬送装置であって、
前記所定方向における遊技島の両端に設けられた１対の支持ローラと、
前記１対の支持ローラ間に掛け回された１本の無端状の平ベルトと、
前記平ベルトの外周面に対向配置され、前記平ベルトとの間で紙幣を挟持する挟持部材と、
前記平ベルトを周回移動させる駆動機構とを含むことを特徴とする、紙幣搬送装置。
【請求項２】
前記平ベルトにおける直線部分の間に配置され、前記１対の支持ローラ間の距離を調整することによって前記平ベルトのテンションを調整するテンション調整機構を含むことを特徴とする、請求項１記載の紙幣搬送装置。
【請求項３】
前記テンション調整機構は、前記直線部分に沿って伸縮自在であることを特徴とする、請求項２記載の紙幣搬送装置。
【請求項４】
複数の遊技台を所定方向に並べて配置することで構成された遊技島の前記所定方向における両端に設けられた１対の支持ローラと、前記１対の支持ローラ間に掛け回された１本の無端状の平ベルトと、前記平ベルトの外周面に対向配置され、前記平ベルトとの間で紙幣を挟持する挟持部材とを含み、前記平ベルトを周回移動させることによって紙幣を搬送する紙幣搬送装置に設けられ、前記平ベルトのテンションを調整するテンション調整機構であって、
前記平ベルトにおける直線部分の間に配置され、前記直線部分に沿って伸縮することによって前記１対の支持ローラ間の距離を調整できることを特徴とする、テンション調整機構。
【請求項５】
請求項４記載のテンション調整機構を用いた前記平ベルトのテンション調整方法であって、
前記テンション調整機構を前記平ベルトにおける直線部分の間に配置する工程と、
前記テンション調整機構を前記直線部分に沿って伸縮させる工程と
を含むことを特徴とする、テンション調整方法。
【請求項６】
請求項４記載のテンション調整機構を用いた紙幣搬送装置の設置方法であって、
前記紙幣搬送装置を設置する際に、前記テンション調整機構を前記平ベルトにおける直線部分の間に配置する工程と、
前記テンション調整機構を前記直線部分に沿って伸縮させて前記平ベルトのテンションを調整する工程と
を含むことを特徴とする、設置方法。
【請求項７】
請求項５記載のテンション調整方法によって前記平ベルトのテンションが調整されることを特徴とする、紙幣搬送装置。
【請求項８】
請求項６記載の設置方法によって設置されることを特徴とする、紙幣搬送装置。
【発明の詳細な説明】
【技術分野】
【０００１】
この発明は、複数の遊技台を所定方向に並べて配置することで構成された遊技島に設けられる紙幣搬送装置、紙幣搬送装置における紙幣搬送用のベルトのテンション調整機構およびテンション調整方法、ならびに、紙幣搬送装置の設置方法に関する。
【背景技術】
【０００２】
パチンコ店等の遊技店には、複数の遊技台を所定方向に並べて配置することで構成された遊技島が存在し、遊技島における遊技台の背面側の空間には、紙幣搬送装置が設けられている。紙幣搬送装置は、遊技台で遊技をするために入金された紙幣を、紙幣の回収庫まで搬送する。
紙幣搬送装置の一例として、下記特許文献１では、搬送装置が、複数の遊技台の並び方向における遊技島の両端に設けられた１対のプーリと、これらのプーリに巻き掛けられたエンドレスの丸ベルトと、丸ベルトを挟持する押えプーリの対とを含んでいる。丸ベルトは、横から見て環状をなす軌跡で周回する。そして、遊技島において各遊技台の左隣または右隣には、紙幣識別機が設けられている。紙幣識別機に受け付けられることで入金された紙幣は、搬送装置において、周回移動する丸ベルトと押えプーリとに挟持された状態で、遊技島の端の料金収納箱まで搬送される。
【０００３】
また、下記特許文献２には、特許文献１とほぼ同じ構成の搬送装置が示されているとともに、ベルトの張力調節装置が提案されている。この張力調節装置は、前述した１対のプーリにおける一方のプーリの近傍に配置されていて、張力調節プーリと、規制プーリと、リンク部と、ハンドル部とを含んでいる。張力調節プーリは、前述した一方のプーリの下方に配置されていて、ベルトの内側からベルトを下方へ押し下げている。規制プーリは、張力調節プーリに対して、前述した１対のプーリにおける他方のプーリ側から隣接していて、ベルトの外側からベルトを上方へ押し上げている。これにより、ベルトの周回軌跡は、横から見て、複数の遊技台の並び方向において長手である一方で、前述した一方のプーリの周辺において局所的に下方へ突出している。
【０００４】
そして、リンク部は、ハンドル部と張力調節プーリとをつないでおり、ハンドル部を持って傾けると、リンク部によって張力調節プーリが引き下げられ、これにより、前述した一方のプーリの周辺におけるベルトが下方へ引っ張られることによってベルトの張力が調節される。
【先行技術文献】
【特許文献】
【０００５】
【特許文献１】特許第２７５３５６７号公報
【特許文献２】特許第２７５９１４２号公報
【発明の概要】
【発明が解決しようとする課題】
【０００６】
特許文献１の搬送装置では、丸ベルトを用いている構成上、搬送に必要な駆動力を伝達するには、丸ベルトが掛け回されるプーリも大径となるので、搬送装置全体の大型化、さらにはベルトが長くなることが懸念される。そして、特許文献２の搬送装置では、１対のプーリの間（換言すれば、１対のプーリ間におけるベルトの一対の直線部分の間）から下方へはみ出た位置に別途スペースを確保して、当該スペースにベルトの張力調節装置を配置している。そのため、特許文献２の場合でも、張力調節装置の分だけ搬送装置全体の大型化が懸念される。
【０００７】
遊技島において紙幣搬送装置が配置される空間は、背中合わせで配置された遊技台の間の空間や、遊技台の背面と遊技店の壁との間の空間であって、比較的狭い。そのため、このような狭い空間に配置される紙幣搬送装置の小型化が望まれている。
この発明は、かかる背景のもとでなされたもので、ベルトで紙幣を搬送する構成において小型化を図ることができる紙幣搬送装置、当該ベルトのテンション調整機構およびテンション調整方法ならびに紙幣搬送装置の設置方法を提供することを目的とする。
【課題を解決するための手段】
【０００８】
請求項１記載の発明は、複数の遊技台を所定方向に並べて配置することで構成された遊技島に設置され、遊技台で遊技するために入金された紙幣を搬送する紙幣搬送装置であって、前記所定方向における遊技島の両端に設けられた１対の支持ローラと、前記１対の支持ローラ間に掛け回された１本の無端状の平ベルトと、前記平ベルトの外周面に対向配置され、前記平ベルトとの間で紙幣を挟持する挟持部材と、前記平ベルトを周回移動させる駆動機構とを含むことを特徴とする、紙幣搬送装置である。
【０００９】
請求項２記載の発明は、前記平ベルトにおける直線部分の間に配置され、前記１対の支持ローラ間の距離を調整することによって前記平ベルトのテンションを調整するテンション調整機構を含むことを特徴とする、請求項１記載の紙幣搬送装置である。
請求項３記載の発明は、前記テンション調整機構は、前記直線部分に沿って伸縮自在であることを特徴とする、請求項２記載の紙幣搬送装置である。
【００１０】
請求項４記載の発明は、複数の遊技台を所定方向に並べて配置することで構成された遊技島の前記所定方向における両端に設けられた１対の支持ローラと、前記１対の支持ローラ間に掛け回された１本の無端状の平ベルトと、前記平ベルトの外周面に対向配置され、前記平ベルトとの間で紙幣を挟持する挟持部材とを含み、前記平ベルトを周回移動させることによって紙幣を搬送する紙幣搬送装置に設けられ、前記平ベルトのテンションを調整するテンション調整機構であって、前記平ベルトにおける直線部分の間に配置され、前記直線部分に沿って伸縮することによって前記１対の支持ローラ間の距離を調整できることを特徴とする、テンション調整機構である。
【００１１】
請求項５記載の発明は、請求項４記載のテンション調整機構を用いた前記平ベルトのテンション調整方法であって、前記テンション調整機構を前記平ベルトにおける直線部分の間に配置する工程と、前記テンション調整機構を前記直線部分に沿って伸縮させる工程とを含むことを特徴とする、テンション調整方法である。
請求項６記載の発明は、請求項４記載のテンション調整機構を用いた紙幣搬送装置の設置方法であって、前記紙幣搬送装置を設置する際に、前記テンション調整機構を前記平ベルトにおける直線部分の間に配置する工程と、前記テンション調整機構を前記直線部分に沿って伸縮させて前記平ベルトのテンションを調整する工程とを含むことを特徴とする、設置方法である。
【００１２】
請求項７記載の発明は、請求項５記載のテンション調整方法によって前記平ベルトのテンションが調整されることを特徴とする、紙幣搬送装置である。
請求項８記載の発明は、請求項６記載の設置方法によって設置されることを特徴とする、紙幣搬送装置である。
【発明の効果】
【００１３】
請求項１記載の発明によれば、遊技島に設置された紙幣搬送装置では、遊技島において複数の遊技台の並び方向（所定方向）における両端の１対の支持ローラ間に１本の無端状の平ベルトが掛け回されるとともに、平ベルトの外周面に対向配置された挟持部材が平ベルトとの間で紙幣を挟持している。紙幣搬送装置では、駆動機構が平ベルトを周回移動させることによって、平ベルトと挟持部材との間で挟持された紙幣が平ベルトに沿って搬送される。
【００１４】
この紙幣搬送装置では、丸ベルト等に比べて小プーリ径で駆動を伝達し易い平ベルトを用いることによって、小径の支持ローラを用いることができる。これにより、紙幣搬送装置全体の小型化を図ることができる。
請求項２記載の発明によれば、テンション調整機構が１対の支持ローラ間の距離を調整することによって、平ベルトのテンションを調整することができる。テンション調整機構は、平ベルトにおける直線部分の間に配置されている。直線部分とは、平ベルトにおいて１対の支持ローラ間で前記所定方向に沿って平行に延びる１対の直線部分である。
【００１５】
この構成によれば、当該１対の直線部分の間からはみ出た位置にテンション調整機構が配置される場合に比べて、紙幣搬送装置全体の小型化を図ることができる。
請求項３記載の発明によれば、テンション調整機構は、平ベルトにおける直線部分に沿って伸縮することによって、前記所定方向における１対の支持ローラ間の距離を調整し、これによって、平ベルトのテンションを調整することができる。
【００１６】
請求項４記載の発明によれば、遊技島に設置された紙幣搬送装置では、遊技島において複数の遊技台の並び方向（所定方向）における両端の１対の支持ローラ間に１本の無端状の平ベルトが掛け回されるとともに、平ベルトの外周面に対向配置された挟持部材が平ベルトとの間で紙幣を挟持している。紙幣搬送装置では、平ベルトを周回移動させることによって、平ベルトと挟持部材との間で挟持された紙幣が平ベルトに沿って搬送される。
【００１７】
紙幣搬送装置には、平ベルトのテンションを調整するテンション調整機構が設けられている。テンション調整機構は、平ベルトにおける直線部分の間に配置されている。直線部分とは、平ベルトにおいて１対の支持ローラ間で前記所定方向に沿って平行に延びる１対の直線部分である。テンション調整機構は、平ベルトにおける直線部分に沿って伸縮することによって、前記所定方向における１対の支持ローラ間の距離を調整し、これによって、平ベルトのテンションを調整することができる。
【００１８】
このように１対の直線部分の間にテンション調整機構が配置されている構成によれば、当該１対の直線部分の間からはみ出た位置にテンション調整機構が配置される場合に比べて、紙幣搬送装置全体の小型化を図ることができる。
請求項５記載の発明によれば、請求項４記載のテンション調整機構を平ベルトにおける直線部分の間に配置して当該直線部分に沿って伸縮させるという平ベルトのテンション調整方法によって、紙幣搬送装置全体の小型化を図ることができる。
【００１９】
請求項６記載の発明によれば、紙幣搬送装置を設置する際に、請求項４記載のテンション調整機構を平ベルトにおける直線部分の間に配置して当該直線部分に沿って伸縮させて平ベルトのテンションを調整するという紙幣搬送装置の設置方法によって、紙幣搬送装置全体の小型化を図ることができる。
請求項７記載の発明によれば、請求項５記載のテンション調整方法によって平ベルトのテンションが調整されることによって、紙幣搬送装置全体の小型化を図ることができる。
【００２０】
請求項８記載の発明によれば、請求項６記載の設置方法によって紙幣搬送装置が設置されることによって、紙幣搬送装置全体の小型化を図ることができる。
【図面の簡単な説明】
【００２１】
【図１】図１は、遊技店における１つの遊技島Ａの模式的な平断面図である。
【図２】図２は、紙幣搬送装置７の模式的な斜視図である。
【図３】図３は、紙幣搬送装置７の要部の模式的な分解斜視図である。
【図４Ａ】図４Ａは、テンション調整ユニット２４の模式的な側面図である。
【図４Ｂ】図４Ｂは、テンション調整ユニット２４の模式的な側面図である。
【発明を実施するための形態】
【００２２】
以下には、図面を参照して、この発明の実施形態について具体的に説明する。
図１は、遊技店における１つの遊技島Ａの模式的な平断面図である。
図１を参照して、パチンコ店等の遊技店内には、パチンコ台などの遊技台１が複数配置されている。複数の遊技台１は、所定数毎にまとまっていて、所定数の遊技台１のまとまりは、１つの遊技島Ａを構成している。遊技店内には、遊技島Ａが複数設けられている。
【００２３】
１つの遊技島Ａにおいて、この遊技島Ａを構成する複数の遊技台１は、それぞれの正面１Ａ（遊技客に臨む面）が略面一になるように所定方向Ｘ（図１では左右方向）に並べて配置されている。そのため、複数の遊技台１では、それぞれの背面１Ｂが所定方向Ｘに沿って並んでいる。
遊技島Ａには、遊技店の壁際に位置する遊技島Ａと、遊技店の壁際から離れた位置にある遊技島Ａとがある。図１は、遊技店の壁際から離れた位置にある遊技島Ａを示している。
【００２４】
遊技店の壁際に位置する遊技島Ａでは、全ての遊技台１は、遊技店の壁に背を向けた状態で所定方向Ｘに並んでいる。一方、遊技店の壁際から離れた位置にある遊技島Ａでは、図１に示すように、２台の遊技台１が背中合わせで配置されて１つの組をなし、複数の組が、所定方向Ｘに並んでいる。
各遊技島Ａの所定方向Ｘにおける両端面は、妻板２（図１でハッチングを付した部分）で覆われている。
【００２５】
そして、各遊技台１の左隣または右隣（図１では、遊技客が遊技台１を正面から見たときにおける遊技台１の左隣）には、所定方向Ｘにおいて薄い板状の台間機３が配置されている。各台間機３は、その隣（図１では、正面から見て右隣）の遊技台１に対する専用機であり、遊技客から紙幣を受け付けることによって、対応する遊技台１で遊技するための遊技媒体（パチンコ玉等）を遊技客に貸し出す。各台間機３は、所定方向Ｘにおいて隣り合う遊技台１の間、または、所定方向Ｘにおける遊技島Ａの端に位置する遊技台１と妻板２との間に配置されている。各台間機３の正面３Ａは、隣り合う遊技台１の正面１Ａと略面一になっている。台間機３は、遊技台１とともに、遊技島Ａを構成している。
【００２６】
台間機３の正面３Ａには、紙幣投入口４が形成されている。紙幣投入口４は、正面から見て縦長のスリットである。台間機３の内部には、紙幣投入口４から連続して台間機３の背面３Ｂ側へ延びる受入路５が形成されている。受入路５は、台間機３の背面３Ｂから露出されている。台間機３の内部において、たとえば紙幣投入口４の近傍には、１対の受入ローラ６が互いに接触した状態で配置されている。１対の受入ローラ６のそれぞれは、受入路５内に臨んでいて、これらの受入ローラ６の接触部分は、受入路５内に位置している。
【００２７】
遊技台１で遊技をしたい遊技客は、遊技をするために必要な紙幣Ｓを紙幣投入口４に投入することで入金する。紙幣投入口４に投入された紙幣Ｓは、１対の受入ローラ６の接触部分に進入する。これに伴い、１対の受入ローラ６が回転して紙幣Ｓを受入路５内に受け入れる。すると、台間機３は、受け入れられた紙幣Ｓの金額の範囲内で貸し出し可能な数の遊技媒体を遊技客に貸し出す。具体的には、台間機３は、貸し出す数の遊技媒体を遊技客に直接払い出したり、貸し出す数の遊技媒体を払い出すように遊技台１に対して指令を出したりする。
【００２８】
遊技島Ａには、遊技台１および台間機３の他に、紙幣搬送装置７および回収庫８が設けられている。
紙幣搬送装置７は、遊技台１で遊技するために台間機３に入金された紙幣Ｓを搬送する装置である。紙幣搬送装置７は、所定方向Ｘにおいて長手である。紙幣搬送装置７の所定方向Ｘにおける寸法は、遊技島Ａの所定方向Ｘにおける寸法と大体同じである。紙幣搬送装置７は、遊技島Ａにおいて所定方向Ｘに並ぶ複数の遊技台１の背面１Ｂに沿って配置されている。図１のように、遊技島Ａにおいて背中合わせに配置された２つの遊技台１の組が所定方向Ｘに並んでいる場合、紙幣搬送装置７は、背中合わせに配置された２つの遊技台１の間に配置されている。
【００２９】
紙幣搬送装置７は、装置本体２０と、１対の支持ローラ２１と、１本の平ベルト２２と、カバー２３と、テンション調整ユニット２４とを含んでいる。
装置本体２０は、所定方向Ｘにおいて長手である。装置本体２０全体の所定方向Ｘにおける寸法は、遊技島Ａの所定方向Ｘにおける寸法と大体同じである。装置本体２０は、所定方向Ｘにおいて、複数の分割体２５に分割されている。この実施形態では、装置本体２０は、３つの分割体２５に分割されている。３つの分割体２５は、所定方向Ｘに沿って並んでいて、真ん中の分割体２５Ａが、その両側の分割体２５Ｂ，Ｃに比べて、所定方向Ｘにおいて長手である。分割体２５Ａは、装置本体２０のほとんどの部分をなしている。図１では、分割体２５Ｂは、装置本体２０の左端部をなしており、分割体２５Ｃは、装置本体２０の右端部をなしている。分割体２５Ａと分割体２５Ｂとは、所定方向Ｘにおいて間隔を隔てており、分割体２５Ａと分割体２５Ｃとは、所定方向Ｘにおいて間隔を隔てている。
【００３０】
１対の支持ローラ２１は、縦に延びる円筒状または円柱状であり、その円中心を中心として回転可能である。１対の支持ローラ２１のうち、一方の支持ローラ２１Ａは、分割体２５Ｂに設けられていて、他方の支持ローラ２１Ｂは、分割体２５Ｃに設けられている。分割体２５Ｂ，２５Ｃは、所定方向Ｘにおける装置本体２０の端部であるから、分割体２５Ｂ，２５Ｃに設けられた１対の支持ローラ２１は、所定方向Ｘにおける遊技島Ａの両端に設けられている。装置本体２０には、モータ３３（駆動機構）が設けられていて、このモータ３３が駆動力を発生させると、分割体２５Ｂ側の支持ローラ２１Ａが回転する。
【００３１】
平ベルト２２は、無端状の平ベルト（エンドレスベルト）であり、１対の支持ローラ２１間に掛け回されている。平ベルト２２は、図１に示す平面視において、所定方向Ｘに沿って細長い環状をなしている。１対の支持ローラ２１間に掛け回された状態にある平ベルト２２は、１対の支持ローラ２１間で所定方向Ｘに沿って平行に延びる１対の直線部分２２Ａを含んでいる。紙幣搬送装置７では、丸ベルト等に比べて小プーリ径で駆動を伝達し易い平ベルト２２を用いることによって、小径の支持ローラ２１を用いることができる。これにより、紙幣搬送装置７全体の小型化を図ることができる。
【００３２】
そして、１対の直線部分２２Ａの間に、装置本体２０が位置している。つまり、平ベルト２２における１対の直線部分２２Ａは、装置本体２０の外側に露出されている。前述したようにモータ３３が駆動力を発生させることで一方の支持ローラ２１Ａが回転すると、当該一方の支持ローラ２１Ａが駆動ローラとなって他方の支持ローラ２１Ｂが従動ローラとなることで、平ベルト２２が周回移動する。つまり、モータ３３は、平ベルト２２を周回移動させる。平ベルト２２の周回方向は、一方向であり、平面視で反時計回りの方向である。なお、平ベルト２２の周回方向は、逆向きであっても構わない。
【００３３】
カバー２３は、板状であって、複数に分割可能である。カバー２３は、装置本体２０の外側に露出された平ベルト２２を全域に亘って外から覆うように装置本体２０に取り付けられている。装置本体２０とカバー２３との間には、隙間が確保されている。この隙間は、平面視において、装置本体２０を縁取りつつ、図１の左端部の支持ローラ２１Ａ側において開放された略Ｕ字形状をなす搬送路２６を構成している。搬送路２６内には、平ベルト２２の１対の直線部分２２Ａと、平ベルト２２において図１における右端部の支持ローラ２１Ｂに沿って湾曲している湾曲部分２２Ｂとが配置されている。平ベルト２２の周回方向が平面視で反時計回りの方向であることから、搬送路２６では、図１における左下部分が、平ベルト２２の周回方向における上流側であり、図１における左上部分が、平ベルト２２の周回方向における下流側である。
【００３４】
カバー２３において搬送路２６内の平ベルト２２の外周面に対向する面には、複数のガイドローラ２７（挟持部材）が設けられている。ガイドローラ２７は、平面視で円形状であって、その円中心を中心として回転自在である。ガイドローラ２７は、平ベルト２２の外周面に対向配置されており、ガイドローラ２７の外周面が平ベルト２２の外周面に接触している。複数のガイドローラ２７は、搬送路２６に沿う方向において、所定の間隔を隔てて並んで配置されている。当該所定の間隔は、紙幣Ｓの長手方向寸法よりも短い間隔である。なお、ガイドローラ２７の代わりに、平ベルト２２の外周面に接触する環状のエンドレスベルト等を用いることもできる。
【００３５】
カバー２３には、取込部材３５が取り付けられている。取込部材３５は、台間機３と同じ数だけ設けられている。取込部材３５は、対応する台間機３の背面３Ｂに連結されている。カバー２３には、搬送路２６から各取込部材３５側へ分岐する複数の分岐路３６が設けられている。分岐路３６の数は、取込部材３５の数と同じである。分岐路３６は、対応する取込部材３５から、平ベルト２２の周回方向における下流側へ湾曲して搬送路２６に合流していて、搬送路２６内における平ベルト２２の直線部分２２Ａに臨んでいる。取込部材３５の内部には、対応する台間機３の受入路５と分岐路３６とを連通させる取込路３７が形成されている。取込部材３５の内部には、１対の取込ローラ３８が互いに接触した状態で配置されている。１対の取込ローラ３８のそれぞれは、取込路３７内に臨んでいて、これらの取込ローラ３８の接触部分は、取込路３７内に位置している。
【００３６】
テンション調整ユニット２４は、分割体２５Ａと分割体２５Ｂとの間、および、分割体２５Ａと分割体２５Ｃとの間に配置され、分割体２５に連結されている。つまり、この実施形態では、テンション調整ユニット２４は、２つ設けられている。この状態で、テンション調整ユニット２４全体は、平ベルト２２における１対の直線部分２２Ａの間に配置されている。テンション調整ユニット２４では、後述するテンション調整機構１００が平ベルト２２の直線部分２２Ａに沿って（換言すれば、所定方向Ｘに沿って）伸縮することによって１対の支持ローラ２１間の距離を調整し、これにより、１対の支持ローラ２１間に掛け回された平ベルト２２のテンションを調整する。このように伸縮する部分（テンション調整機構１００）を有するテンション調整ユニット２４は、所定方向Ｘにおいて、各台間機３（取込部材３５）から外れた位置に配置されていることが好ましい。そして、このように平ベルト２２における１対の直線部分２２Ａの間にテンション調整ユニット２４（テンション調整機構１００）を配置する構成によれば、当該１対の直線部分２２Ａの間からはみ出た位置にテンション調整機構１００が配置される場合に比べて、紙幣搬送装置７全体の小型化を図ることができる。
【００３７】
テンション調整ユニット２４については、以降で詳説する。
回収庫８は、所定方向Ｘにおける遊技島Ａの端（図１では左端）の妻板２に設けられている。回収庫８は、この妻板２を貫通して、装置本体２０の端（図１では左端の分割体２５Ｂ）に連結されている。回収庫８において装置本体２０に連結される部分には、平ベルト２２の周回方向における搬送路２６の下流側端部に連通する回収口２８が形成されている。回収庫８の内部には、回収室２９と、回収路３０とが設けられている。回収室２９は、多数の紙幣Ｓを収容し得る広さを有する空間である。回収路３０は、回収口２８と回収室２９とを連通させている。回収庫８の内部において、たとえば回収口２８の近傍には、１対の回収ローラ３１が互いに接触した状態で配置されている。１対の回収ローラ３１のそれぞれは、回収路３０内に臨んでいて、これらの回収ローラ３１の接触部分は、回収路３０内に位置している。
【００３８】
図１において下側で並ぶ台間機３における左から２番目の台間機３と、上側で並ぶ台間機３における右から３番目の台間機３とを参照して、遊技島Ａにおける紙幣Ｓの流れを説明する。図１において、太い破線矢印が、紙幣Ｓの流れを示している。
まず、前述したように遊技客が紙幣Ｓを紙幣投入口４に投入（入金）すると、紙幣投入口４に投入された紙幣Ｓは、１対の受入ローラ６の接触部分に進入し、回転する１対の受入ローラ６によって受入路５内に受け入れられる。受入路５内に受け入れられた紙幣Ｓの先端は、取込部材３５の取込路３７内に取り込まれて、１対の取込ローラ３８の接触部分に進入する。この状態で、紙幣Ｓの搬送が一時停止する。
【００３９】
そして、遊技客への遊技媒体の貸し出しが完了したのに応じて、１対の取込ローラ３８が回転する。これにより、１対の取込ローラ３８の接触部分にあった紙幣Ｓが、取込路３７を通過して、この取込路３７に連通している分岐路３６を経由した後に、搬送路２６内に進入する。
搬送路２６内に露出されている平ベルト２２は、紙幣Ｓが搬送路２６内に進入するときには、周回移動を開始している。搬送路２６内に進入した紙幣Ｓは、周回移動する平ベルト２２の直線部分２２Ａに引っ張られることで、平ベルト２２の周回方向に沿って搬送路２６内を搬送される。この際、紙幣Ｓは、周回移動する平ベルト２２と、平ベルト２２の外周面に対向する各ガイドローラ２７に挟持された状態で搬送される。なお、平ベルト２２は、常に周回移動し続けていてもよい。
【００４０】
ここで、図１において下側で並ぶ台間機３における左から２番目の台間機３で受け入られた紙幣Ｓは、搬送路２６内に進入してから、図１における下側の直線部分２２Ａによって、所定方向Ｘに沿いながら、回収庫８から一旦離れる方向（図１における右側）へ搬送される。そして、搬送路２６の右端まで到達した紙幣Ｓは、平ベルト２２において、図１における下側の直線部分２２Ａから湾曲部分２２Ｂへと受け渡され、略Ｕ字形状をなす搬送路２６において湾曲した部分（図１における右端部）でＵターンする。そして、この紙幣Ｓは、平ベルト２２において、湾曲部分２２Ｂから図１における上側の直線部分２２Ａへと受け渡され、この直線部分２２Ａによって、所定方向Ｘに沿いながら、回収庫８へ近付く方向（図１における左側）へ搬送される。
【００４１】
一方、図１において上側で並ぶ台間機３における右から３番目の台間機３で受け入られた紙幣Ｓは、搬送路２６内に進入してから、図１における上側の直線部分２２Ａによって、所定方向Ｘに沿いながら、回収庫８へ近づく方向へ直ちに搬送される。また、台間機３から搬送路２６への紙幣Ｓの取り込みタイミングに関し、本構成であれば、数枚の紙幣Ｓであれば重なり合っても搬送可能であるので、仮に上側の右から３番目の台間機３からの紙幣Ｓの取り込み中に、下側の左から２番目の台間機３から取り込まれた紙幣Ｓが通過しようとしても、当該３番目の台間機３からの紙幣Ｓを問題なく取り込んで搬送するようにしてもよい。しかし、回収庫８側で紙幣識別処理等をする場合には、紙幣Ｓを重ならないように搬送する必要があるので、前述の場合では、当該３番目の台間機３からの紙幣Ｓを取り込む時は、搬送路２６における上流側から紙幣Ｓが搬送されていないか否かをセンサ（図示せず）によって監視し、紙幣Ｓの取り込みタイミングを制御する必要がある。
【００４２】
そして、図１における上側の直線部分２２Ａによって、搬送路２６内を所定方向Ｘに沿って搬送された紙幣Ｓは、搬送路２６の下流側端部（図１における左端部）において、回収庫８の回収口２８に進入する。そして、この紙幣Ｓは、１対の回収ローラ３１の接触部分に進入し、回転する１対の回収ローラ３１によって回収路３０内に受け入れられる。回収路３０内を通過した紙幣Ｓは、回収室２９内に溜められる。
【００４３】
回収室２９内に溜められた紙幣Ｓは、所定のタイミングに遊技店の店員によって取り出されて、遊技店の事務所等に配置された金庫に保管される。
このように、この紙幣搬送装置７では、１本の平ベルト２２を１対の支持ローラ２１に掛け回し、平ベルト２２とガイドローラ２７との間で紙幣Ｓを挟持しながら搬送する。この場合、遊技島Ａにおいて紙幣Ｓを搬送するために必要なベルトは、１本の平ベルト２２だけで済み、この平ベルト２２を周回移動させるモータ３３も１つで済む。そのため、紙幣搬送装置７をシンプルに構成でき、少ない工数で容易に組立および設置することができる。これにより、紙幣搬送装置７にかかるコストの低減を図ることができる。
【００４４】
次に、紙幣搬送装置７の要部について詳説する。図２は、紙幣搬送装置７の模式的な斜視図である。図３は、紙幣搬送装置７の要部の模式的な分解斜視図である。図４Ａおよび図４Ｂは、テンション調整ユニット２４の模式的な側面図である。
図２および図３では、紙幣搬送装置７の具体的な形状が示されている。なお、図２〜図４Ｂでは、前述したカバー２３（図１参照）の図示が省略されている。
【００４５】
図２では、装置本体２０における分割体２５Ｂが左手前側に位置していて、分割体２５Ｃが右奥側に位置している。分割体２５Ｂの左手前側の端面は、回収庫８（図１参照）に接続される部分であり、この端面には、搬送路２６の下流側端部が出口３９として現れている。
図３では、分割体２５ＡおよびＢと、これらの間に配置されるテンション調整ユニット２４とを示している。図３を参照して、分割体２５Ａ〜Ｃは、前述した所定方向Ｘにおける寸法が違うものの、所定方向Ｘに直交する切断面で切断したときの断面形状は同じである。それぞれの分割体２５は、板状フレーム４５と、板状フレーム４５の上下方向両端に設けられた管状フレーム４６とを備えている。板状フレーム４５と管状フレーム４６とは互いに組み付けられることで一体化されている。
【００４６】
板状フレーム４５は、所定方向Ｘに長手で高さ方向に延びていて、これらの方向に対する直交方向（水平方向）においてやや薄い板状である。板状フレーム４５は、たとえば樹脂で形成されている。板状フレーム４５において、当該直交方向における両側の外側面には、所定方向Ｘに沿って延びる配置溝４７が形成されている。配置溝４７は、板状フレーム４５において所定方向Ｘにおける全域に亘って形成されている。配置溝４７には、平ベルト２２の直線部分２２Ａ（図２参照）が嵌っていて、これにより、平ベルト２２が上下にずれることが防止されている。
【００４７】
管状フレーム４６は、上下に扁平な四角い額縁状の断面を有する中空体であり、所定方向Ｘにおいて長手である。管状フレーム４６は、アルミニウム等の金属で形成されている。所定方向Ｘにおいて、管状フレーム４６と板状フレーム４５とは同じ大きさである。それぞれの分割体２５において、隣り合う分割体２５に対向する端面では、板状フレーム４５の上下方向両端の各管状フレーム４６の内部が、開口４８として露出されている。なお、板状フレーム４５および管状フレーム４６は、同じ材質であって、元々から一体化されたものであってもよい。
【００４８】
次に、テンション調整ユニット２４について詳説する。
テンション調整ユニット２４は、上フレーム５１と、下フレーム５２と、固定カバー５３と、スライドカバー５４と、固定突起５５と、スライド突起５６と、ボルト５７と、第１ナット５８と、第２ナット５９とを備えている。
上フレーム５１および下フレーム５２は、ともに、上下に扁平な四角い額縁状の断面を有する中空体であり、所定方向Ｘにおいて長手である。上フレーム５１および下フレーム５２は、管状フレーム４６の内部（開口４８）に挿通できる大きさを有している。上フレーム５１および下フレーム５２は、アルミニウム等の金属で形成されている。上フレーム５１および下フレーム５２は、間隔を隔てて下フレーム５２の真上に上フレーム５１が位置するように平行に配置されている。
【００４９】
固定カバー５３およびスライドカバー５４は、所定方向Ｘに長手で高さ方向に延びていて、これらの方向に対する直交方向（水平方向）において薄い板状である。固定カバー５３およびスライドカバー５４は、当該直交方向から見て、所定方向Ｘに長手の長方形状をなしている。固定カバー５３およびスライドカバー５４は、たとえば樹脂で形成されている。固定カバー５３およびスライドカバー５４は、当該直交方向において互いにずれた位置に配置されていて、この状態で、上フレーム５１および下フレーム５２の間に架設されている。
【００５０】
固定カバー５３は、上フレーム５１および下フレーム５２において、所定方向Ｘにおける一方側へ偏った位置に配置されていて、スライドカバー５４は、所定方向Ｘにおける他方側へ偏った位置に配置されている。図３では、固定カバー５３が左手前側へ偏った位置に配置され、スライドカバー５４が右奥側へ偏った位置に配置されているが、逆でも構わない。固定カバー５３は、上フレーム５１および下フレーム５２に対して相対移動不能に固定されているが、スライドカバー５４は、上フレーム５１および下フレーム５２に対して所定方向Ｘに沿ってスライド可能である。スライドカバー５４は、図３では、固定カバー５３の後に隠れた位置と、固定カバー５３から右側へはみ出た位置との間でスライド可能である。スライドカバー５４には、所定方向Ｘに沿って目盛６０が刻まれており、固定カバー５３から右側へはみ出た目盛６０の数に応じて、所定方向Ｘにおけるスライドカバー５４の位置を特定できる。なお、固定カバー５３およびスライドカバー５４は、１つずつ設けられていてもよく、２つずつ設けられていてもよい。２つずつ設けられた場合の固定カバー５３およびスライドカバー５４は、前記直交方向において交互に配置される。
【００５１】
図３に示すようにスライドカバー５４が固定カバー５３から右側へ目一杯はみ出た状態において、固定カバー５３およびスライドカバー５４のまとまりは、上フレーム５１および下フレーム５２の所定方向Ｘにおける両端の内側に位置している。図３において、固定カバー５３の左端面を第１規制面５３Ａといい、固定カバー５３の右端面を第２規制面５３Ｂといい、スライドカバー５４の右端面を規制面５４Ａという。固定カバー５３の第１規制面５３Ａは、固定カバー５３およびスライドカバー５４において上フレーム５１および下フレーム５２の左端面に最も近い面であり、スライドカバー５４の規制面５４Ａは、固定カバー５３およびスライドカバー５４において上フレーム５１および下フレーム５２の右端面に最も近い面である。
【００５２】
固定突起５５は、上フレーム５１および下フレーム５２のそれぞれにおいて、所定方向Ｘにおいて固定カバー５３の第１規制面５３Ａと一致する位置に設けられている。
上フレーム５１の固定突起５５は、上フレーム５１の上面に固定されている。下フレーム５２の固定突起５５は、下フレーム５２の下面に固定されている。
固定突起５５は、上下に薄い板状のベース部６１と、所定方向Ｘにおいて薄くベース部６１の一端（図３における右端）から上方（下フレーム５２の固定突起５５の場合は、下方）ヘ突出して延びる突出部６２と、上下方向および所定方向Ｘの両方に対する直交方向における突出部６２の両端部からベース部６１側（図３における左側）へ延びる１対の延設部６３とを一体的に備えている。突出部６２には、突出部６２を所定方向Ｘにおいて貫通する貫通孔（図示せず）が形成されている。１対の延設部６３のそれぞれとベース部６１との間には、所定方向Ｘに延びる隙間Ｙが確保されている。隙間Ｙでは、所定方向Ｘにおいて、一端（図３における右端）が突出部６２に区画されていて、他端（図３における左端）が開放されている。上フレーム５１および下フレーム５２の各固定突起５５の突出部６２において、隙間Ｙの前記一端を区画している端面６２Ａは、所定方向Ｘにおいて固定カバー５３の第１規制面５３Ａと一致し、面一になっている。
【００５３】
スライド突起５６は、上フレーム５１および下フレーム５２のそれぞれにおいて、所定方向Ｘにおいて固定突起５５とは反対側に設けられている。
スライド突起５６は、上下に薄い板状のベース部７１と、所定方向Ｘにおいて薄くベース部７１の一端（図３における左端）から上方（下フレーム５２のスライド突起５６の場合は、下方）ヘ突出して延びる突出部７２と、上下方向および所定方向Ｘの両方に対する直交方向における突出部７２の両端部からベース部７１側（図３における右側）へ延びる１対の延設部７３とを一体的に備えている。突出部７２には、突出部７２を所定方向Ｘにおいて貫通する貫通孔（図示せず）が形成されている。１対の延設部７３のそれぞれとベース部７１との間には、所定方向Ｘに延びる隙間Ｚが確保されている。隙間Ｚでは、所定方向Ｘにおいて、一端（図３における左端）が突出部７２に区画されていて、他端（図３における右端）が開放されている。上フレーム５１および下フレーム５２の各スライド突起５６の突出部７２において、隙間Ｚの前記一端を区画している端面には、符号７２Ａが付されている。
【００５４】
図４Ａを参照して、上フレーム５１側のスライド突起５６のベース部７１の下面、および、下フレーム５２側のスライド突起５６のベース部７１の上面には、下方（下フレーム５２側のスライド突起５６の場合、上方）へ突出する係合部７４が設けられている。係合部７４に関連して、上フレーム５１の上面および下フレーム５２の下面のそれぞれには、所定方向Ｘに沿って延びるスライド溝７５が形成されている（図３参照）。各スライド溝７５は、上フレーム５１または下フレーム５２の内部に連通している。
【００５５】
上フレーム５１側のスライド突起５６の係合部７４は、上フレーム５１の上面のスライド溝７５に対して外れ不能に嵌り込んで、上フレーム５１内に配置されている。これにより、上フレーム５１側のスライド突起５６は、係合部７４がスライド溝７５にガイドされることで、上フレーム５１によって所定方向Ｘに沿ってスライド可能に支持されている。下フレーム５２側のスライド突起５６の係合部７４は、下フレーム５２の下面のスライド溝７５に対して外れ不能に嵌り込んで、下フレーム５２内に配置されている。これにより、下フレーム５２側のスライド突起５６は、係合部７４がスライド溝７５にガイドされることで、下フレーム５２によって所定方向Ｘに沿ってスライド可能に支持されている。
【００５６】
この状態で、上フレーム５１側および下フレーム５２側のそれぞれにおいて、固定突起５５の突出部６２と、スライド突起５６の突出部７２とが所定方向Ｘにおいて対向している。
ボルト５７は、上フレーム５１および下フレーム５２に応じて、合計で２本ある。それぞれのボルト５７は、所定方向Ｘに延びる円柱状であって外周面に螺旋溝が形成されたねじ部５７Ａと、ねじ部５７Ａの一端につながった頭部５７Ｂとを一体的に有している。ボルト５７では、ねじ部５７Ａが各固定突起５５の突出部６２の前述した貫通孔（図示せず）に対して、スライド突起５６とは反対側から挿通され、頭部５７Ｂが当該反対側から突出部６２に当接している。
【００５７】
上フレーム５１側の固定突起５５の突出部６２の貫通孔（図示せず）に挿通されたねじ部５７Ａの先端は、上フレーム５１側のスライド突起５６の突出部７２の貫通孔（図示せず）に対して遊びを持って挿通されている。下フレーム５２側の固定突起５５の突出部６２の貫通孔（図示せず）に挿通されたねじ部５７Ａの先端は、下フレーム５２側のスライド突起５６の突出部７２の貫通孔（図示せず）に対して遊びを持って挿通されている。
【００５８】
第１ナット５８は、スライド突起５６の突出部７２に対して固定突起５５側に配置され、第２ナット５９は、突出部７２を挟んで第１ナット５８に対向するように配置されている。第１ナット５８および第２ナット５９は、突出部７２を挟んだ状態で、ねじ部５７Ａの先端に組み付けられている。そして、この状態で、第１ナット５８および第２ナット５９を互いに接近するように締め付けると、所定方向Ｘにおけるスライド突起５６の位置が固定される。以下では、この状態を、通常状態とする。
【００５９】
一方、第１ナット５８および第２ナット５９を緩めると、所定方向Ｘにおいてスライド突起５６をスライドさせることができる。上フレーム５１側のスライド突起５６と、下フレーム５２側のスライド突起５６と、スライドカバー５４（図３および図４Ｂ参照）とはそれぞれ独立して所定方向Ｘにおいてスライドさせることができる。ただし、上フレーム５１側のスライド突起５６および下フレーム５２側のスライド突起５６の所定方向Ｘにおける位置は、最終的に第１ナット５８および第２ナット５９を締め付けた通常状態では同じになる。
【００６０】
また、前述したように、ボルト５７のねじ部５７Ａは、下フレーム５２側および上フレーム５１側の各スライド突起５６の突出部７２の貫通孔（図示せず）に対して遊びを持って挿通されているので、各スライド突起５６は、スライドする際に、ボルト５７のねじ部５７Ａを中心に回転することはない。
図４Ａでは、各スライド突起５６を固定突起５５側へ目一杯スライドさせた状態を示しており、図４Ｂでは、各スライド突起５６を固定突起５５から離れる側へ目一杯スライドさせた状態を示している。このようにスライド突起５６をスライドさせることによって、固定突起５５とスライド突起５６との間隔を調整することができる。固定突起５５およびスライド突起５６のまとまりをテンション調整機構１００というと、スライド突起５６をスライドさせることによって、テンション調整機構１００を所定方向Ｘにおいて伸縮させることができる。
【００６１】
そして、図３を参照して、テンション調整ユニット２４では、上フレーム５１が、互いに対向する２つの分割体２５（図３では、分割体２５Ａおよび２５Ｂ）のそれぞれにおける上側の管状フレーム４６の開口４８に挿通され、下フレーム５２が、２つの分割体２５のそれぞれにおける下側の管状フレーム４６の開口４８に挿通されている。そのため、図４Ａおよび図４Ｂに示すように、所定方向Ｘにおける上フレーム５１の両側部分が、対向する２つの分割体２５のそれぞれにおける上側の管状フレーム４６内に収容され、所定方向Ｘにおける下フレーム５２の両側部分が、対向する２つの分割体２５のそれぞれにおける下側の管状フレーム４６内に収容されている。
【００６２】
このとき、互いに対向する２つの分割体２５のうち、一方の分割体２５（ここでは、分割体２５Ｂ）の上側の管状フレーム４６における上側の周縁部が、上フレーム５１の固定突起５５の各隙間Ｙに嵌まり込んで当該固定突起５５の突出部６２の端面６２Ａに当接している。また、他方の分割体２５（ここでは、分割体２５Ａ）の上側の管状フレーム４６における上側の周縁部が、上フレーム５１のスライド突起５６の各隙間Ｚに嵌まり込んで当該スライド突起５６の突出部７２の端面７２Ａに当接している。
【００６３】
同様に、一方の分割体２５（２５Ｂ）の下側の管状フレーム４６における下側の周縁部が、下フレーム５２の固定突起５５の各隙間Ｙに嵌まり込んで当該固定突起５５の突出部６２の端面６２Ａに当接している。また、他方の分割体２５（２５Ａ）の下側の管状フレーム４６における下側の周縁部が、下フレーム５２のスライド突起５６の各隙間Ｚに嵌まり込んで当該スライド突起５６の突出部７２の端面７２Ａに当接している。
【００６４】
これにより、前述した通常状態では、所定方向Ｘにおいて互いに対向する２つの分割体２５の対向間隔は、各固定突起５５の突出部６２において管状フレーム４６に当接している端面６２Ａと、各スライド突起５６の突出部７２において管状フレーム４６に当接している端面７２Ａとの間隔で維持されている。また、このとき、固定カバー５３の前述した第１規制面５３Ａが、固定突起５５の突出部６２に当接している分割体２５（ここでは、分割体２５Ｂ）の板状フレーム４５に当接している。この状態で、テンション調整機構１００（固定突起５５およびスライド突起５６のまとまり）は、所定方向Ｘにおいて互いに対向する２つの分割体２５の間に架設されている。
【００６５】
図４Ａでは、スライドカバー５４が固定カバー５３の後に隠れており、このとき、固定カバー５３の前述した第２規制面５３Ｂおよびスライドカバー５４の規制面５４Ａが、スライド突起５６の突出部７２に当接している分割体２５（ここでは、分割体２５Ａ）の板状フレーム４５に当接している。これにより、対向する２つの分割体２５における板状フレーム４５間の隙間が、固定カバー５３およびスライドカバー５４によって塞がれている。
【００６６】
この状態（前述した通常状態）で、各スライド突起５６における第１ナット５８および第２ナット５９を緩めて、図４Ｂに示すように、各スライド突起５６を対応する固定突起５５から離れる方向へスライドさせ、その後、第１ナット５８および第２ナット５９を締めて通常状態にして、各スライド突起５６の位置を固定する。すると、所定方向Ｘにおいて、スライド突起５６の突出部６２の端面６２Ａと、固定突起５５の突出部７２の端面７２Ａとの間隔が広がって、テンション調整機構１００が所定方向Ｘにおいて伸びる。これにより、互いに対向する２つの分割体２５の間隔も、前述した端面６２Ａ、７２Ａ間の間隔に応じて広がり、装置本体２０全体が所定方向Ｘにおいて伸びる。これにより、所定方向Ｘにおける分割体２５Ｂの支持ローラ２１Ａと分割体２５Ｃの支持ローラ２１Ｂとの間隔（１対の支持ローラ２１間の距離）が広がるように調整される（図１および図２参照）。１対の支持ローラ２１間の距離が広がるように調整された結果、１対の支持ローラ２１間に掛け回された平ベルト２２のテンションがきつくなる。
【００６７】
ここで、上フレーム５１および下フレーム５２のそれぞれにおけるスライド突起５６と固定突起５５との間隔が広がった直後の状態では、スライド突起５６に接触している分割体２５の板状フレーム４５と固定カバー５３の第１規制面５３Ｂとの間に隙間が生じている。そのため、スライドカバー５４をスライド突起５６側へ引き出して、図４Ｂに示すように、スライドカバー５４によって当該隙間を塞ぐ。このとき、スライドカバー５４において固定カバー５３からはみ出た目盛６０を見ることで、スライド突起５６と固定突起５５との間隔（前述した端面６２Ａ、７２Ａ間の間隔）がどれだけ広がったかを把握できる。
【００６８】
そして、平ベルト２２のテンションを緩めたければ、前述した通常状態の第１ナット５８および第２ナット５９を緩めて、図４Ａに示すように、各スライド突起５６を固定突起５５側へスライドさせ、その後、第１ナット５８および第２ナット５９を締めて通常状態にして各スライド突起５６の位置を固定する。すると、所定方向Ｘにおいて、スライド突起５６と固定突起５５との間隔が狭まり、テンション調整機構１００が縮む。このとき、テンション調整ユニット２４の上フレーム５１および下フレーム５２が、互いに対向する２つの分割体２５（図４Ａでは、分割体２５Ａおよび２５Ｂ）のそれぞれにおいて対応するする上下の管状フレーム４６の開口４８（図３参照）に圧入されていれば、互いに対向する２つの分割体２５の間隔も狭まり、装置本体２０全体が縮む。しかし、上フレーム５１および下フレーム５２が開口４８に対して遊びを持って挿通されていれば、テンション調整機構１００が縮んでも、互いに対向する２つの分割体２５の間隔は狭まらない。この場合には、２つの分割体２５を近付くように押え付けて、２つの分割体２５の間隔を狭める必要がある。
【００６９】
いずれにせよ、２つの分割体２５の間隔が狭まって装置本体２０全体が縮むと、１対の支持ローラ２１間の距離が狭まるように調整される（図１および図２参照）。その結果、１対の支持ローラ２１間に掛け回された平ベルト２２のテンションが緩くなる。
以上のように、平ベルト２２における１対の直線部分２２Ａの間にテンション調整ユニット２４を配置して（図１および図２参照）、テンション調整機構１００を所定方向Ｘ（直線部分２２Ａ）に沿って伸縮させることによって所定方向Ｘにおける１対の支持ローラ２１間の距離を調整し、これによって、平ベルト２２のテンションを調整することができる。
【００７０】
そして、図１を参照して、前述したテンション調整機構１００を用いた平ベルト２２のテンション調整方法に基づく平ベルト２２のテンション調整は、主に、遊技島Ａに紙幣搬送装置７を設置する際に、遊技島Ａの長さに応じて実施される。具体的には、遊技島Ａに紙幣搬送装置７を設置する際に、テンション調整ユニット２４を平ベルト２２における１対の直線部分２２Ａの間に配置して、テンション調整機構１００を直線部分２２Ａに沿って伸縮させて平ベルト２２のテンションを調整する。なお、装置本体２０では、分割体２５Ａが一番重いので、各テンション調整機構１００を伸縮させると、分割体２５ＢおよびＣの少なくともいずれかが所定方向Ｘに動くことになる。
【００７１】
この発明は、以上の実施形態の内容に限定されるものではなく、請求項記載の範囲内において種々の変更が可能である。
たとえば、テンション調整ユニット２４の数は、装置本体２０をいくつに分割するのかに応じて適宜変更される。たとえば、前述した実施形態では、装置本体２０を分割体２５Ａ，Ｂ，Ｃの３つに分割したので、テンション調整ユニット２４の数は、２つであったが、装置本体２０を２つに分割する場合には、テンション調整ユニット２４の数は、１つになる。この実施形態では、テンション調整ユニット２４が複数（２つ）あるので（図１および図２参照）、それぞれのテンション調整ユニット２４においてテンション調整機構１００を伸縮させることで、１対の支持ローラ２１間の距離をより広い範囲で調整できる。具体的に、この実施形態では、２つのテンション調整ユニット２４のテンション調整機構１００の最大伸縮距離（最も伸びたときと最も縮んだときとの差）の合計が１５０ｍｍ程度なので、平ベルト２２を３００ｍｍの範囲で伸縮させて、そのテンションを調整できる。
【００７２】
また、図４Ａおよび図４Ｂを参照して、ねじ５７のねじ部５７Ａ上でスライド突起５６を位置決めするため構成について、前述した実施形態では、第１ナット５８および第２ナット５９の２つのナットを示したが、これに限らず、適切な種類および数のナットを用いても構わない。
そして、スライド突起５６がスライドする際にボルト５７のねじ部５７Ａを中心に回転しないのであれば、スライド突起５６に係合部７４を設けてスライド溝７５でガイドさせなくてもよい。
【符号の説明】
【００７３】
１      遊技台
７      紙幣搬送装置
２１    支持ローラ
２２    平ベルト
２２Ａ  直線部分
２７    ガイドローラ
３３    モータ
１００  テンション調整機構
Ａ      遊技島
Ｓ      紙幣
Ｘ      所定方向
【図１】
2012152373.tif 000003
【図２】
2012152373.tif 000004
【図３】
2012152373.tif 000005
【図４Ａ】
2012152373.tif 000006
【図４Ｂ】
2012152373.tif 000007